(57)【要約】      （修正有）【課題】デッドスペースが減少された表示パネル及び表示装置を提供する。【解決手段】表示パネルＤＰ及び表示装置は、映像を表示する表示領域ＤＡ、及び表示領域ＤＡの少なくとも一側に配置されたパッド領域ＰＡを含む表示基板ＰＳと、パッド領域ＰＡの上に配置され、第１方向ＤＲ１に沿って配列された複数のパッドグループＰＤＧを含み、パッドグループＰＤＧは、第１方向ＤＲ１と垂直に交差する第２方向ＤＲ２に延長される仮想の基準線に対して第１勾配を有し、第１間隔で離隔された複数の第１パッドを含む第１パッドグループ、及び基準線に対して第２勾配を有し、第２間隔で離隔された複数の第２パッドを含む第２パッドグループを含む。【選択図】図２
2019200416.tif 000002
【特許請求の範囲】
【請求項１】
映像を表示する表示領域、及び前記表示領域の少なくとも一側に配置されたパッド領域を含む表示基板と、
前記パッド領域の上に配置され、第１方向に沿って配列された複数のパッドグループと、を含み、
前記パッドグループは、
前記第１方向と垂直に交差する第２方向に延長される仮想の基準線に対して第１勾配を有し、第１間隔で離隔された複数の第１パッドを含む第１パッドグループと、
前記仮想の基準線に対して前記第１勾配とは異なる第２勾配を有し、前記第１間隔とは異なる第２間隔で離隔された複数の第２パッドを含む第２パッドグループと、を含むことを特徴とする表示パネル。
【請求項２】
前記第１パッドグループは前記パッド領域の中心部に配置され、
前記第２パッドグループは前記第１パッドグループの少なくとも一側に配置されることを特徴とする請求項１に記載の表示パネル。
【請求項３】
前記第２勾配は前記第１勾配より大きく、
前記第２間隔は前記第１間隔より小さいことを特徴とする請求項１に記載の表示パネル。
【請求項４】
前記第２勾配は、０度超過５０度以下であることを特徴とする請求項３に記載の表示パネル。
【請求項５】
前記第２パッドグループは、前記第１パッドグループの一側に配置された複数の第１サブパッドグループと、
前記第１パッドグループの他側に配置された複数の第２サブパッドグループと、を含むことを特徴とする請求項２に記載の表示パネル。
【請求項６】
前記第１サブパッドグループ及び前記第２サブパッドグループそれぞれは前記第２パッドを含み、
互いに異なる前記第１サブパッドグループに含まれた前記第２パッドの第２勾配は互いに異なり、
互いに異なる前記第２サブパッドグループに含まれた前記第２パッドの第２勾配は互いに異なることを特徴とする請求項５に記載の表示パネル。
【請求項７】
前記中心部から前記パッド領域の外郭部に行くほど前記第１サブパッドグループに含まれた前記第２パッドの第２勾配は増加し、前記第２パッドの第２離隔間隔は減少することを特徴とする請求項６に記載の表示パネル。
【請求項８】
前記中心部から前記パッド領域の外郭部に行くほど前記第２サブパッドグループに含まれた前記第２パッドの第２勾配は増加し、前記第２パッドの第２離隔間隔は減少することを特徴とする請求項６に記載の表示パネル。
【請求項９】
前記第１パッドグループから一側方向にｎ番目に配列された前記第１サブパッドグループに含まれた前記第２パッドと、前記第１パッドグループから他側方向にｎ番目に配列された前記第２サブパッドグループに含まれた前記第２パッドは、前記第１パッドグループを基準に対称に配置され、前記ｎは１以上の整数であることを特徴とする請求項６に記載の表示パネル。
【請求項１０】
前記第１パッド及び前記第２パッドの一側端部を連結する第１仮想線、及び前記第１パッド及び前記第２パッドの他側端部を連結する第２仮想線のうちいずれか一つは曲線であり、
前記第１仮想線は前記表示領域に隣接し、前記第２仮想線は前記表示基板のエッジに隣接することを特徴とする請求項１に記載の表示パネル。
【請求項１１】
前記第１仮想線は前記表示領域の方に膨らんだ曲線であり、
前記第２仮想線は前記表示基板のエッジと平行な直線であることを特徴とする請求項１０に記載の表示パネル。
【請求項１２】
前記第１仮想線は前記表示基板のエッジと平行な直線であり、
前記第２仮想線は前記表示基板のエッジの方に膨らんだ曲線であることを特徴とする請求項１０に記載の表示パネル。
【請求項１３】
平面上において、前記第１パッドと前記第２パッドは矩形であり、
前記第１パッドは第１長さと第１幅を有し、
前記第２パッドは前記第１長さより長い第２長さを有し、前記第１幅より小さい第２幅を有することを特徴とする請求項１に記載の表示パネル。
【請求項１４】
平面上において、前記第１パッドの第１面積は前記第２パッドの第２面積と同じであることを特徴とする請求項１３に記載の表示パネル。
【請求項１５】
請求項１乃至請求項１４のうちいずれか一項に記載の表示パネルと、
前記表示パネルの前記パッドグループに対応する複数の連結パッドグループを含む連結回路基板と、を含むことを特徴とする表示装置。
【発明の詳細な説明】
【技術分野】
【０００１】
本発明は表示パネル及びそれを含む表示装置に係り、より詳しくは、表示領域の外郭のデッドスペース（ｄｅａｄ  ｓｐａｃｅ）を減少させた表示パネル及び表示装置に関する。
【背景技術】
【０００２】
映像情報を提供するために多様な形態の表示装置が使用されており、表示装置は、映像を表示する表示領域を含み、表示領域の外郭には映像を表示する表示部に駆動信号を提供するためのパネルパッドが配置される。
【０００３】
一方、パネルパッド及びパネルパッドと表示部を連結する連結配線を配置するためには、表示領域の外郭に最小限の空間を必要とするが、このようなパネルパッドが配置される領域を最小化して表示装置における表示領域の総体的な割合を増大させ、デッドスペースを減らして表示領域のデザイン的自由度を増加させる研究が進められている。
【先行技術文献】
【特許文献】
【０００４】
【特許文献１】特開２０１８−１４６８５９号公報
【発明の概要】
【発明が解決しようとする課題】
【０００５】
本発明の目的は、デッドスペースが減少された表示パネル及び表示装置を提供することである。
【０００６】
本発明の目的は、連結回路基板との接続信頼性を維持し、パッド領域を最小化する表示パネル及び表示装置を提供することである。
【課題を解決するための手段】
【０００７】
一実施例は、映像を表示する表示領域、及び前記表示領域の少なくとも一側に配置されたパッド領域を含む表示基板と、前記パッド領域の上に配置され、第１方向に沿って配列された複数のパッドグループと、を含み、前記パッドグループは、前記第１方向と垂直に交差する第２方向に延長される仮想の基準線に対して第１勾配を有し、第１間隔で離隔された複数の第１パッドを含む第１パッドグループと、前記仮想の基準線に対して前記第１勾配とは異なる第２勾配を有し、前記第１間隔とは異なる第２間隔で離隔された複数の第２パッドを含む第２パッドグループと、を含む表示パネルを提供する。
【０００８】
前記第１パッドグループは前記パッド領域の中心部に配置され、前記第２パッドグループは前記第１パッドグループの少なくとも一側に配置される。
【０００９】
前記第２勾配は前記第１勾配より大きく、前記第２間隔は前記第１間隔より小さい。
【００１０】
前記第２勾配は、０度超過５０度以下である。
【００１１】
前記第２パッドグループは、前記第１パッドグループの一側に配置された複数の第１サブパッドグループと、前記第１パッドグループの他側に配置された複数の第２サブパッドグループと、を含む。
【００１２】
前記第１サブパッドグループ及び前記第２サブパッドグループそれぞれは前記第２パッドを含み、互いに異なる前記第１サブパッドグループに含まれた前記第２パッドの第２勾配は互いに異なり、互いに異なる前記第２サブパッドグループに含まれた前記第２パッドの第２勾配は互いに異なる。
【００１３】
前記中心部から前記パッド領域の外郭部に行くほど前記第１サブパッドグループに含まれた前記第２パッドの第２勾配は増加し、前記第２パッドの第２離隔間隔は減少する。
【００１４】
前記中心部から前記パッド領域の外郭部に行くほど前記第２サブパッドグループに含まれた前記第２パッドの第２勾配は増加し、前記第２パッドの第２離隔間隔は減少する。
【００１５】
前記第１パッドグループから一側方向にｎ番目に配列された前記第１サブパッドグループに含まれた前記第２パッドと、前記第１パッドグループから他側方向にｎ番目に配列された前記第２サブパッドグループに含まれた前記第２パッドは、前記第１パッドグループを基準に対称に配置され、前記ｎは１以上の整数である。
【００１６】
前記第１パッド及び前記第２パッドの一側端部を連結する第１仮想線、及び前記第１パッド及び前記第２パッドの他側端部を連結する第２仮想線のうちいずれか一つは曲線であり、前記第１仮想線は前記表示領域に隣接し、前記第２仮想線は前記表示基板のエッジに隣接する。
【００１７】
前記第１仮想線は前記表示領域の方に膨らんだ曲線であり、前記第２仮想線は前記表示基板のエッジと平行な直線である。
【００１８】
前記第１仮想線は前記表示基板のエッジと平行な直線であり、前記第２仮想線は前記表示基板のエッジの方に膨らんだ曲線である。
【００１９】
平面上において、前記第１パッドと前記第２パッドは矩形であり、前記第１パッドは第１長さと第１幅を有し、前記第２パッドは前記第１長さより長い第２長さを有し、前記第１幅より小さい第２幅を有する。
【００２０】
平面上において、前記第１パッドの第１面積は前記第２パッドの第２面積と同じである。
【００２１】
一実施例は、映像を表示する表示領域、及び前記表示領域の少なくとも一側に配置されたパッド領域を含む表示基板と、前記パッド領域の上に配置され、第１方向に沿って配列された複数のパッドグループと、前記表示領域と前記パッド領域との間に配置された複数の連結配線と、を含み、前記パッドグループは、前記第１方向と垂直に交差する第２方向に延長される仮想の基準線に対して第１勾配を有し、第１間隔で離隔された複数の第１パッドを含む第１パッドグループと、前記基準線に対して前記第１勾配とは異なる第２勾配を有し、前記第１間隔とは異なる第２間隔で離隔された複数の第２パッドを含む第２パッドグループと、を含む表示パネルを提供する。
【００２２】
前記連結配線は、前記表示領域において前記パッド領域の方向に延長された第１サブ配線部、及び前記第１サブ配線部から延長されて前記第１パッドと連結された第２サブ配線部を含む第１連結配線と、前記表示領域において前記パッド領域の方向に延長された第３サブ配線部、及び前記第３サブ配線部から延長されて前記第２パッドと連結された第４サブ配線部を含む第２連結配線と、を含み、平面上において、前記第２サブ配線部は前記基準線に対して第３勾配を有し、前記第４サブ配線部は前記基準線に対して前記第３勾配とは異なる第４勾配を有する。
【００２３】
前記第１勾配と前記第３勾配は同じく、前記第２勾配と前記第４勾配は同じである。
【００２４】
他の実施例は、表示領域、及び前記表示領域の少なくとも一側に配置されて第１方向に沿って配列された複数のパッドグループが配置されたパッド領域を含む表示パネルと、前記パッドグループに対応する複数の連結パッドグループを含む連結回路基板と、を含み、前記パッドグループは、前記第１方向と垂直に交差する第２方向に延長される仮想の基準線に対して第１勾配を有し、第１間隔で離隔された複数の第１パッドを含む第１パッドグループと、前記基準線に対して前記第１勾配とは異なる第２勾配を有し、前記第１間隔とは異なる第２間隔で離隔された複数の第２パッドを含む第２パッドグループと、を含み、前記連結パッドグループは、前記第１パッドに対応して配置された第１連結パッドを含む第１連結パッドグループと、前記第２パッドに対応して配置された第２連結パッドを含む第２連結パッドグループと、を含む表示装置を提供する。
【００２５】
前記第１パッドグループは前記パッド領域の中心部に配置され、前記第２パッドグループは前記第１パッドグループの少なくとも一側に配置され、前記第２勾配は前記第１勾配より大きく、前記第２間隔は前記第１間隔より小さい。
【００２６】
平面上において、前記第１パッドと前記第２パッドは矩形であり、前記第１パッドは第１長さと第１幅を有し、前記第２パッドは前記第１長さより長い第２長さを有し、前記第１幅より小さい第２幅を有する。
【発明の効果】
【００２７】
一実施例は、多様な勾配とピッチを有するパッドの配列を最小化することで、良好な接続信頼性を有し、デッドスペースを最小化した表示パネル及び表示装置を提供する。
【図面の簡単な説明】
【００２８】
【図１】一実施例の表示装置の平面図である。
【図２】一実施例の表示装置に含まれた表示パネルの一部を示す平面図である。
【図３】図２に示した一実施例の表示パネルにおいて、表示領域に対応する部分をより詳細に示す図である。
【図４】パッドグループの配列の一実施例を示す図である。
【図５】パッドグループの配列の一実施例を示す図である。
【図６】パッドの勾配によるパッドの垂直方向の長さの変化を示す図である。
【図７】パッドの勾配の増加によるパッドの垂直方向の長さ、デッドスペースの距離、及びパッド間の離隔間隔（ピッチ）を示すグラフである。
【図８】パッドの勾配の増加によるパッドの垂直方向の長さ、デッドスペースの距離、及びパッド間の離隔間隔（ピッチ）を示すグラフである。
【図９】パッドの勾配の増加によるパッドの垂直方向の長さ、デッドスペースの距離、及びパッド間の離隔間隔（ピッチ）を示すグラフである。
【図１０】パッドグループ別のパッドの勾配の角度を示すグラフである。
【図１１】パッドグループ別のパッドのピッチを示すグラフである。
【図１２】図２のＡＡ領域を示す平面図である。
【図１３】表示パネルの一実施例を示す平面図である。
【図１４】図１３のパッド領域部分をより詳細に示す平面図である。
【図１５】表示パネル一実施例を示す平面図である。
【図１６】図１５のパッド領域部分をより詳細に示す平面図である。
【図１７】一実施例の表示パネルにおけるパッドグループによるパッドの長さを示すグラフである。
【図１８】一実施例の表示パネルにおけるパッドグループによるパッドの幅を示すグラフである。
【図１９】一実施例の表示装置の分解斜視図である。
【発明を実施するための形態】
【００２９】
本発明は、多様な変更を加えることができ、多様な形態を有することができるゆえ、特定実施例を図面に例示し、詳細に説明する。しかし、これは本発明を特定の開示形態に限定しようとするのではなく、本発明の思想及び技術範囲に含まれる全ての変更、均等物乃至代替物を含むと理解すべきである。
【００３０】
各図面を説明しながら、類似した参照符号を類似した構成要素に対して使用している。添付した図面において、構造物の寸法は本発明の明確性のために実際より拡大して示している。第１、第２などの用語を多用な構成要素を説明するために使用するが、前記構成要素は前記用語に限らない。前記用語は一つの構造要素を他の構成要素から区別する目的にのみ使用する。例えば、本発明の権利範囲を逸脱せずに第１構成要素は第２構成要素と称されてもよく、同様に第２構成要素も第１構成要素と称されてもよい。単数の表現は、文脈上明白に異なるように意味しない限り、複数の表現を含む。
【００３１】
本出願において、「含む」または「有する」などの用語は明細書に記載された特徴、数字、ステップ、動作、構成要素、部品またはこれらを組合せが存在することを指定するものであって、一つまたはそれ以上の他の特徴や数字、ステップ、動作、構成要素、部分品またはこれらの組合せの存在または付加可能性を予め排除しないと理解すべきである。
【００３２】
本出願において、層、膜、領域、板などの部分が他の部分の「上に」または「上部に」あるとする場合、これは他の部分の「直上」にある場合だけでなく、その中間にまた他の部分がある場合も含む。逆に、層、膜、領域、板などの部分が他の部分の「下に」または「下部に」にあるとする場合、これは他の部分の「直下」にある場合だけでなく、その中間にまた他の部分がある場合も含む。また、本出願において、「上に」配置されるとは、上部だけでなく下部に配置される場合も含む。
【００３３】
一方、本出願において、「直接配置」されるとは、層、膜、領域、板などの部分と他の部分の間に追加される層、膜、領域、板などがないことを意味する可能性がある。例えば、「直接配置」される場合、２つの層または２つの部材の間に接着部材などの追加の部材を使用せずに配置することを意味する可能性がある。
【００３４】
以下、図面を参照して、本発明の一実施例による表示パネル及び表示装置について説明する。
図１は、一実施例の表示装置の平面図である。図２は、一実施例の表示装置に含まれた表示パネルの一部を示す平面図である。図３は、図２に示した一実施例の表示パネルにおいて、表示領域に対応する部分をより詳細に示す図である。
【００３５】
図１を参照すると、一実施例の表示装置ＤＤは、表示パネルＤＰ、連結回路基板ＦＢ、及び接続部材ＡＦを含む。また、一実施例の表示装置ＤＤは駆動回路基板（図示せず）を更に含み、連結回路基板ＦＢは表示パネルＤＰと駆動回路基板（図示せず）との間に配置される。一実施例の表示装置ＤＤにおいて、表示パネルＤＰ及び連結回路基板ＦＢは電気的に連結される。また、一実施例の表示装置ＤＤは、表示パネルＤＰと連結回路基板ＦＢとの間に配置される接続部材ＡＦを含む。
【００３６】
表示パネルＤＰは、液晶表示パネル（ｌｉｑｕｉｄ  ｃｒｙｓｔａｌ  ｄｉｓｐｌａｙ  ｐａｎｅｌ）、有機発光表示パネル（ｏｒｇａｎｉｃ  ｌｉｇｈｔ  ｅｍｉｔｔｉｎｇ  ｄｉｓｐｌａｙ  ｐａｎｅｌ）、プラズマ表示パネル（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、ＭＥＭＳ表示パネル（ｍｉｃｒｏｅｌｅｃｔｒｏｍｅｃｈａｎｉｃａｌ  ｓｙｓｔｅｍ  ｄｉｓｐｌａｙ  ｐａｎｅｌ）、及び電気湿潤表示パネル（ｅｌｅｃｔｒｏｗｅｔｔｉｎｇ  ｄｉｓｐｌａｙ  ｐａｎｅｌ）などである。例えば、一実施例の表示装置ＤＤにおいて、表示パネルＤＰは液晶表示パネルまたは有機発光表示パネルであってもよい。しかし、実施例はこれに限らない。
【００３７】
表示パネルＤＰはフレキシブル（ｆｌｅｘｉｂｌｅ）なものである。「フレキシブル」とは曲げられる特性を意味し、完全に折りたたまれる構造から、数ナノメートルレベルに曲げられる構造までの全てを含む。例えば、表示パネルＤＰは、カーブド（ｃｕｒｖｅｄ）表示パネルまたはフォルダブル（ｆｏｌｄａｂｌｅ）表示パネルであってもよい。また、表示パネルＤＰはリジッド（ｒｉｇｉｄ）なものであってもよい。
【００３８】
図１乃至図３を参照すると、表示パネルＤＰは、表示基板ＰＳ及び複数のパッドグループＰＤＧを含む。表示基板ＰＳは、表示領域ＤＡ及びパッド領域ＰＡを含む。平面上において、表示基板ＰＳは、表示領域ＤＡ、非表示領域ＮＤＡ、及びパッド領域ＰＡに区分される。パッドグループＰＤＧは、パッド領域ＰＡに配置される。表示領域ＤＡとパッド領域ＰＡとの間には、連結配線ＣＬが配置される。
【００３９】
一方、図２及び図３において、表示基板ＰＳが第１及び第２基板ＢＳ１、ＢＳ２を含むと示しているが、実施例はこれに限らない。表示基板ＰＳは、表示領域ＤＡに配置された複数の画素（図示せず）を含む。例えば、表示基板ＰＳは液晶表示基板であってもよい。詳しくは、一実施例において、表示基板ＰＳは、第１及び第２基板ＢＳ１、ＢＳ２の間に配置された液晶層（図示せず）を含む液晶表示基板であってもよい。
【００４０】
一方、実施例はこれに限らず、表示基板ＰＳが有機発光表示基板であってもよい。有機発光表示基板であれば、表示基板ＰＳは、ベース基板、及びベース基板の上に配置された有機発光素子層（図示せず）を含んでもよい。
【００４１】
また、表示基板ＰＳは表示素子を含み、プラズマ表示基板、電気泳動表示基板、ＭＥＭＳ表示基板、及び電気湿潤表示基板であってもよい。
【００４２】
表示領域ＤＡは映像を表示し、第１方向軸ＤＲ１と第２方向軸ＤＲ２が定義する平面と並んでいる。例えば、表示パネルＤＰは、第３方向軸ＤＲ３の方向に映像を提供してもよい。説明の便宜上、表示装置ＤＤにおいて映像が提供される方向を上部方向と定義し、上部方向の反対方向を下部方向と定義する。一方、本明細書においては、第１方向軸乃至第３方向軸ＤＲ１、ＤＲ２、ＤＲ３が指示する方向は第１方向乃至第３方向ＤＲ１、ＤＲ２、ＤＲ３と説明する。つまり、本明細書においては、第１方向乃至第３方向ＤＲ１、ＤＲ２、ＤＲ３と第１方向軸乃至第３方向軸ＤＲ１、ＤＲ２、ＤＲ３の方向は同じ意味で使用する。本明細書において、上部及び下部方向は、第１方向ＤＲ１及び第２方向と直交する方向と定義される第３方向ＤＲ３と平行する。第３方向ＤＲ３は、後述する構成要素の前面と背面を区分する基準方向である。しかし、上部方向や下部方向は相対的な概念であって、他の概念に変換されてもよい。
【００４３】
非表示領域ＮＤＡは、表示領域ＤＡに隣接する。非表示領域ＮＤＡは、表示領域ＤＡの縁を囲んで表示領域ＤＡの外郭に配置される。しかし、実施例はこれに限らず、非表示領域ＮＤＡは表示領域ＤＡの少なくとも一側の縁にのみ提供されてもよい。一実施例において、非表示領域ＮＤＡは表示領域ＤＡを囲むフレーム状を有してもよいが、実施例はこれに限らない。
【００４４】
パッド領域ＰＡは、表示領域ＤＡの少なくとも一側に配置される。パッド領域ＰＡは、非表示領域ＮＤＡに隣接する。パッド領域ＰＡは非表示領域ＮＤＡの外郭に配置されるが、実施例はこれに限らない。
【００４５】
パッド領域ＰＡは、連結回路基板ＦＢと表示基板ＰＳが結合する領域である。表示パネルＤＰは、パッド領域ＰＡに配置されたパッドＰＤを介して、連結回路基板ＦＢ及び駆動回路基板（図示せず）のような外部電子部品と電気的に連結される。
【００４６】
表示パネルＤＰのパッド領域ＰＡには、第１方向ＤＲ１に配列されたパッドＰＤが配置される。パッド領域ＰＡは、複数のパッドグループＰＤＧが第１方向ＤＲ１に沿って配列される。
【００４７】
表示基板ＰＳは、パッド領域ＰＡに配置されたパッドＰＤを介して外部から電気的信号を提供されるか、または外部に電気的信号を出力する。例えば、パッドＰＤは入力パッドである。パッドＰＤは、連結配線ＣＬに連結される。
【００４８】
パッドＰＤは、連結回路基板ＦＢと電気的に連結される。パッドＰＤは、銅（Ｃｕ）、銀（Ａｇ）、または金（Ａｕ）などの金属を含んで構成されるか、または金属酸化物を含んで構成される。例えば、パッドＰＤは、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＴＺＯ（Ｉｎｄｉｕｍ  Ｔｉｎ  Ｚｉｎｃ  Ｏｘｉｄｅ）、ＺＴＯ（Ｚｉｎｃ  Ｔｉｎ  Ｏｘｉｄｅ）、ＡＴＯ（Ａｎｔｉｍｏｎｙ  Ｔｉｎ  Ｏｘｉｄｅ）のうち少なくとも一つの透明金属酸化物を含んで形成されてもよい。詳しくは、パッドＰＤはＩＴＯがパターニングされたものであってもよい。また、パッドＰＤは、連結配線ＣＬを介して表示基板ＰＳの画素を駆動する駆動素子と電気的に連結される。
【００４９】
パッドグループＰＤＧは、第１方向ＤＲ１に沿って配列される。パッドグループＰＤＧは、基準線ＲＬに対して第１勾配を有し、第１間隔で離隔された複数の第１パッドＰＤ１を含む第１パッドグループＧ１、及び基準線ＲＬに対して第２勾配を有し、第２間隔で離隔された複数の第２パッドＰＤ２を含む第２パッドグループを含む。一方、基準線ＲＬは、第１方向ＤＲ１と垂直に交差する第２方向ＤＲ２と平行な仮想線である。パッドＰＤ１、ＰＤ２の勾配は、基準線ＲＬの延長方向と第１または第２パッドＰＤ１、ＰＤ２の延長方向がなす角を示す。本明細書において、勾配値は正の値であり、鋭角を示す。
【００５０】
第１パッドグループＧ１に含まれた第１パッドＰＤ１の第１勾配は、第２パッドグループに含まれた第２パッドＰＤ２の第２勾配とは異なる。また、第１パッドグループＧ１に含まれた第１パッドＰＤ１が互いに離隔された第１間隔は、第２パッドグループに含まれた第２パッドＰＤ２が互いに離隔された第２間隔とは異なる。
【００５１】
一実施例において、複数のパッドグループＰＤＧは、パッド領域ＰＡの中心部に配置された第１パッドグループＧ１と、第１パッドグループＧ１の少なくとも一側に配置された第２パッドグループを含む。第２パッドグループに含まれた第２パッドＰＤ２の勾配は、第１パッドグループＧ１の第１パッドＰＤ１の勾配より大きい。また、第２パッドＰＤ２間の離隔間隔は、第１パッドＰＤ１間の離隔間隔より小さい。
【００５２】
第２パッドグループは、第１パッドグループＧ１の一側に配置された第１サブパッドグループＧ２−Ｒと、前記第１パッドグループＧ１の他側に配置された第２サブパッドグループＧ２−Ｌを含む。例えば、一実施例の表示パネルＤＰにおいて、第１サブパッドグループＧ２−Ｒは第１パッドグループＧ１の右側に配置され、第２サブパッドグループＧ２−Ｌは第１パッドグループＧ１の左側に配置される。
【００５３】
一実施例の表示パネルＤＰは、パッド領域ＰＡの中心部に配置された第１パッドグループＧ１、第１パッドグループＧ１の右側に配置されたｘ個の第１サブパッドグループＧ２−Ｒ、及び第１パッドグループＧ１の左側に配置された第２サブパッドグループＧ２−Ｌを含む。一方、ｘは１以上の整数であり、第１サブパッドグループＧ２−Ｒの個数と第２サブパッドグループＧ２−Ｌの個数は同じであるか互いに異なってもよい。
【００５４】
複数の第１サブパッドグループＧ２−Ｒは、パッド領域ＰＡの中心部から外郭方向に並んで配列される。互いに異なる第１サブパッドグループＧ２−Ｒに含まれた第２パッドＰＤ２の勾配は互いに異なる。
【００５５】
パッド領域ＰＡの中心部から外郭部に行くほど、第１サブパッドグループＧ２−Ｒに含まれた第２パッドＰＤ２の勾配が増加する。例えば、図３を参照すると、中心部に配置された第１パッドグループＧ１からｎ番目に配置された第１サブパッドグループＧ２−Ｒｎに含まれた第２パッドＰＤ２の勾配と、第１パッドグループＧ１からｘ番目に配置された第１サブパッドグループＧ２−Ｒｘに含まれた第２パッドＰＤ２の勾配は互いに異なる。詳しくは、中心部からより離隔された第１サブパッドグループＧ２−Ｒであるほど、基準線ＲＬに対する第２パッドＰＤ２の勾配が増加する。
【００５６】
また、互いに異なる第２サブパッドグループＧ２−Ｌに含まれた第２パッドＰＤ２の勾配は互いに異なる。中心部から外郭部に行くほど、第２サブパッドグループＧ２−Ｌに含まれた第２パッドＰＤ２の勾配が増加する。例えば、図３を参照すると、パッド領域ＰＡの中心部に配置された第１パッドグループＧ１からｎ番目に配置された第２サブパッドグループＧ２−Ｌｎに含まれた第２パッドＰＤ２の勾配と、第１パッドグループＧ１からｘ番目に配置された第２サブパッドグループＧ２−Ｌｘに含まれた第２パッドＰＤ２の勾配は互いに異なる。詳しくは、中心部から離隔された第２サブパッドグループＧ２−Ｌであるほど、基準線ＲＬに対する第２パッドＰＤ２の勾配が増加する。
【００５７】
互いに異なる第１サブパッドグループＧ２−Ｒに含まれた第２パッドＰＤ２の離隔間隔は互いに異なる。パッド領域ＰＡの中心部から外郭部に行くほど、第１サブパッドグループＧ２−Ｒに含まれた第２パッドＰＤ２の離隔間隔が減少する。例えば、図４を参照すると、中心部に配置された第１パッドグループＧ１からｎ番目に配置された第１サブパッドグループＧ２−Ｒｎに含まれた第２パッドＰＤ２の離隔間隔と、第１パッドグループＧ１からｘ番目に配置された第１サブパッドグループＧ２−Ｒｘに含まれた第２パッドＰＤ２の離隔間隔は互いに異なる。詳しくは、中心部からより離隔された第１サブパッドグループＧ２−Ｒであるほど、第２パッドＰＤ２間の離隔間隔、つまり、第２パッドＰＤ２のピッチ（ｐｉｔｃｈ）が減少する。一方、本明細書において、パッド間の離隔間隔であるピッチは、隣り合うパッドのうちいずれか一つのパッドの中心から他の一つのパッドの中心までの最短間隔を意味する。
【００５８】
つまり、制限されたパッド領域ＰＡ内に決められたパッドＰＤ１、ＰＤ２を配置するために、パッド領域ＰＡの外郭部に行くほどパッド間ＰＤ１、ＰＤ２のピッチは減少する。
【００５９】
また、互いに異なる第２サブパッドグループＧ２−Ｌに含まれた第２パッドＰＤ２の離隔間隔は互いに異なる。パッド領域ＰＡの中心部から外郭部に行くほど、第２サブパッドグループＧ２−Ｌに含まれた第２パッドＰＤ２の離隔間隔が減少する。例えば、図３を参照すると、中心部に配置された第１パッドグループＧ１からｎ番目に配置された第２サブパッドグループＧ２−Ｌｎに含まれた第２パッドＰＤ２の離隔間隔と、第１パッドグループＧ１からｘ番目に配置された第２サブパッドグループＧ２−Ｌｘに含まれた第２パッドＰＤ２の離隔間隔は互いに異なる。詳しくは、中心部からより離隔された第２サブパッドグループＧ２−Ｌであるほど、第２パッドＰＤ２間の離隔間隔、つまり、第２パッドＰＤ２のピッチが減少する。
【００６０】
第１サブパッドグループＧ２−Ｒと第２サブパッドグループＧ２−Ｌは、第１パッドグループＧ１を基準に互いに対称に配置される。例えば、第１パッドグループＧ１から一側方向にｎ番目に配置された第１サブパッドグループＧ２−Ｒの第２パッドＰＤ２と、第１パッドグループＧ１から他側方向にｎ番目には位置された第２サブパッドグループＧ２−Ｌの第２パッドＰＤ２は、第１パッドグループＧ１を基準に互いに対称に配置されてもよい。詳しくは、第１パッドグループＧ１から一側方向にｎ番目に配置された第１サブパッドグループＧ２−Ｒの第２パッドＰＤ２と、第１パッドグループＧ１から他側方向にｎ番目に配置された第２サブパッドグループＧ２−Ｌの第２パッドＰＤ２は、同じ勾配と同じ離隔間隔を有してもよい。但し、第１サブパッドグループＧ２−Ｒの第２パッドＰＤ２と第２サブパッドグループＧ２−Ｌの第２パッドＰＤ２の傾く方向は互いに反対であり、第１パッドグループＧ１を基準に対称であってもよい。一方、本明細書において、対称に配置されるとは線対称することを意味する。
【００６１】
図４はパッドグループの配列の一実施例を示す図であり、図４では第１パッドグループＧ１及び第２パッドグループの一部を示している。図４を参照すると、第２パッドグループの内の第１サブパッドグループＧ２−Ｒに含まれた第２パッドＰＤ２の延長方向ＥＬ−ＰＤ２は仮想線である基準線ＲＬとθ１の角を有し、第２パッドＰＤ２はＰＴ−Ｒのピッチを有する。また、第２パッドグループの第２サブパッドグループＧ２−Ｌに含まれた第２パッドＰＤ２の延長方向ＥＬ−ＰＤ２は仮想線である基準線ＲＬとθ２の角を有し、第２パッドＰＤ２はＰＴ−Ｌのピッチを有する。一方、図４に示した第１サブパッドグループＧ２−Ｒと第２サブパッドグループＧ２−Ｌが第１パッドグループＧ１から対称の位置に配列されれば、一実施例において、θ１とθ２は実質的に同じであり、ＰＴ−ＲとＰＴ−Ｌも実質的に同じである。
【００６２】
第１パッドグループＧ１に含まれた第１パッドＰＤ１の延長方向ＥＬ−ＰＤ１は、基準線ＲＬと並んでいる。つまり、第１パッドＰＤ１の勾配は０である。第１パッドＰＤ１の離隔間隔ＰＴ１は、第１サブパッドグループＧ２−Ｒの第２パッドＰＤ２の離隔間隔ＰＴ−Ｒ及び第２サブパッドグループＧ２−Ｌの第２パッドＰＤ２の離隔間隔ＰＴ−Ｌより大きい。
【００６３】
図５はパッドグループの配列の一実施例を示す図であり、図５では第１パッドグループＧ１及び第２サブパッドグループＧ２−Ｌの一部を示している。図５を参照すると、第２サブパッドグループＧ２−Ｌに含まれた第２パッドＰＤ２の離隔間隔は、第１パッドグループＧ１から離隔するほど減少する。図５において、第１パッドグループＧ１に含まれた第１パッドＰＤ１間の間隔ＰＴ１より第２サブパッドグループＧ２−Ｌに含まれた第２パッドＰＤ２の離隔間隔ＰＴ−Ｌｎ、ＰＴ−Ｌｘが小さい。また、第１パッドグループＧ１からｘ番目に離隔されて配列された第２サブパッドグループＧ２−Ｌｘに含まれた第２パッドＰＤ２の離隔間隔ＰＴ−Ｌｘは、第１パッドグループＧ１からｎ番目に離隔されて配置された第２サブパッドグループＧ２−Ｌｎに含まれた第２パッドＰＤ２の離隔間隔ＰＴ−Ｌｎより小さい。
【００６４】
図６は、パッドの勾配によるパッドの垂直方向の長さの変化を示す図である。図６において、パッドの勾配は、第１方向ＤＲ１と直行する第２方向ＤＲ２と平行な基準線ＲＬ（図４）に対するパッドそれぞれの勾配値を示す。
【００６５】
図６を参照すると、パッドの勾配値が増加するほどパッドの垂直長さは減少することが分かる。一方、パッドの垂直長さは、パッドの下端部を基準に垂直方向への最大高さを示す。０度の勾配を有するパッドの上端部と下端部との間の距離ｄ１を基準にし、パッドが所定の勾配を有して配置される際の垂直長さはｄ１より小さく、例えば、５０度の勾配を有するパッドの垂直長さはｄ２である。
【００６６】
図６において、０度の勾配を有するパッドの下端部に当たる部分を下部基準線ＲＬ−Ｂ、パッドの上端部に当たる部分を上部基準線ＲＬ−Ｔとすると、パッドの勾配が増加するほど上部基準線ＲＬ−Ｔからパッドの上端部までの間隔Ｓ１、Ｓ２、Ｓ３、Ｓ４が次第に増加することが分かる。つまり、パッドの勾配が増加するほどパッドの垂直長さが減少し、それによってパッド領域の垂直長さが減少する。
【００６７】
一方、パッドの長さがＬであれば、パッドの垂直長さｄは以下の式を満足する。ここで、θはパッドの勾配角度である。
ｄ＝Ｌｘｃｏｓθ
【００６８】
図２乃至図４に示した一実施例において、第２パッドＰＤ２の勾配は０度超過５０度以下である。つまり、基準線ＲＬに対する第２パッドＰＤ２の勾配は、第１パッドグループＧ１に含まれた第１パッドＰＤ１の勾配より大きい。例えば、第１パッドＰＤ１の延長方向は、基準線ＲＬの延長方向と平行してもよい。第１パッドＰＤ１の勾配値は０である。よって、第２パッドＰＤ２の勾配は第１パッドＰＤ１の勾配より大きい値を有し、０度より大きい角度を有する。第２パッドＰＤ２の勾配は５０度以下であり、第２パッドＰＤ２の勾配が５０度より大きくなれば、第２パッドＰＤ２間の離隔間隔が十分に確保されずショート（ｓｈｏｒｔ）などが発生する恐れがあり、信頼性の問題になり得る。
【００６９】
図７乃至図９は、パッドの勾配の増加によるパッドの垂直方向の長さ、デッドスペースの距離、及びパッド間の離隔間隔（ピッチ）を示している。図７はパッドが傾いていない際のパッド間の離隔距離、つまり、パッドのピッチが３０μｍである場合を示し、図８はパッドが傾いていない際のパッドのピッチが３７μｍである場合を示し、図９はパッドが傾いていない際のパッドのピッチが３９μｍである場合を示している。
【００７０】
図７を参照すると、パッドの勾配が増加するほどパッドの垂直距離は減少し、それに応じてデッドスペースの距離も減少することが分かる。図７の場合、減少されたデッドスペースの距離は１１１μｍを示している。一方、限定されたパッド領域の範囲でパッドの勾配が増加すると、パッド領域内に配置されたパッドのピッチも減少すべきであり、信頼性の確保されるパッドピッチの最低値を２７μｍであるとすると、パッドの勾配の最大値は３９度になる。
【００７１】
図８と図９においても、それぞれパッドの勾配の増加によるパッドの垂直距離の減少及びデッドスペース距離の減少を示しており、パッドの勾配が増加するほどパッドのピッチが減少することが分かる。一方、図８と図９の場合、信頼性の確保されるパッドのピッチの最低値２７μｍを基準に、それぞれデッドスペースが最高１３１μｍと１５３μｍを示しており、図７乃至図９を参照すると、初期のパッドのピッチが大きいほどデッドスペースの減少程度が大きくなることが分かる。
【００７２】
図８を参照すると、勾配が０度のパッドのピッチが３７μｍである際、信頼性の確保されるパッドのピッチの最低値を２７μｍとすると、パッドの勾配の最大値は４２．５度になる。また、図９を参照すると、勾配が０度のパッドのピッチが３９μｍである際、信頼性の確保されるパッドのピッチの最低値を２７μｍとすると、パッドの勾配の最大値は４６度になる。
【００７３】
つまり、図７乃至図９を参照すると、パッドの勾配を増加させ、パッド間のピッチを減少させることでパッドが配置されるパッド領域における垂直距離を減少することができ、それによって一実施例の表示パネルにおいてデッドスペースを減少できる。
【００７４】
図１０は、パッドグループ別のパッドの勾配の角度を示すグラフであり、図１１はパッドグループ別のパッドのピッチを示すグラフである。図１０及び図１１は、図２乃至図７で説明した一実施例の表示パネルに含まれたパッドグループに対するパッドの勾配及びパッドのピッチを示している。
【００７５】
図１０を参照すると、一実施例による表示パネルにおいて、第１パッドグループＧ１に含まれたパッドは勾配が０度である。第１パッドグループＧ１の一側に配置された第１サブパッドグループＧ２−Ｒ１、Ｇ２−Ｒ２、・・・、Ｇ２−Ｒｎ、・・・、Ｇ２−Ｒｘは、第１パッドグループＧ１から離隔されるほどパッドの勾配角度が増加する。また、第１パッドグループＧ１の他側に配置された第２サブパッドグループＧ２−Ｌ１、Ｇ２−Ｌ２、・・・、Ｇ２−Ｌｎ、・・・、Ｇ２−Ｌｘは、第１パッドグループＧ１から離隔されるほどパッドの勾配角度が増加する。第１パッドグループＧ１を基準に、第１サブパッドグループＧ２−Ｒ１、Ｇ２−Ｒ２、・・・、Ｇ２−Ｒｎ、・・・、Ｇ２−Ｒｘと、第２サブパッドグループＧ２−Ｌ１、Ｇ２−Ｌ２、・・・、Ｇ２−Ｌｎ、・・・、Ｇ２−Ｌｘに含まれたパッドの勾配角度は対称である。
【００７６】
図１１を参照すると、一実施例の表示パネルにおいて、パッド領域に配置された複数のパッドのうち第１パッドグループＧ１に含まれたパッドの離隔間隔であるパッドピッチ値が最も大きく示され、第１パッドグループＧ１の一側に配置された第１サブパッドグループＧ２−Ｒ１、Ｇ２−Ｒ２、・・・、Ｇ２−Ｒｎ、・・・、Ｇ２−Ｒｘに含まれたパッド間の離隔間隔は、第１パッドグループＧ１から離隔されるほど減少する。また、第１パッドグループＧ１の他側に配置された第２サブパッドグループＧ２−Ｌ１、Ｇ２−Ｌ２、・・・、Ｇ２−Ｌｎ、・・・、Ｇ２−Ｌｘは、第１パッドグループＧ１から離隔されるほどパッド間の離隔間隔であるピッチが減少する。第１パッドグループＧ１を基準に、第１サブパッドグループＧ２−Ｒ１、Ｇ２−Ｒ２、・・・、Ｇ２−Ｒｎ、・・・、Ｇ２−Ｒｘと、第２サブパッドグループ第２サブパッドグループＧ２−Ｌ１、Ｇ２−Ｌ２、・・・、Ｇ２−Ｌｎ、・・・、Ｇ２−Ｌｘに含まれたパッドのピッチは互いに対称である。
【００７７】
つまり、図２乃至図１１を参照すると、一実施例の表示パネルＤＰは、第１方向ＤＲ１に配列された複数のパッドグループを含み、互いに異なるパッドグループに含まれたパッドの勾配とパッド間の離隔間隔は互いに異なる。一方、一つのパッドグループに含まれた複数のパッドの勾配とパッドの離隔間隔は同じである。つまり、パッドグループ別に互いに異なる勾配値と互いに異なる離隔間隔を有することで、パッド領域におけるデッドスペースを最小化しながらも、複数のパッドグループを配列する。
【００７８】
図２及び図３を参照すると、一実施例において、表示領域ＤＡに隣接したパッドＰＤの一側端部を連結する第１仮想線ＩＬ１と、表示基板ＰＳのエッジに隣接したパッドの他側端部を連結する第２仮想線ＩＬ２のうちいずれか一つは曲線である。つまり、一実施例において、複数のパッドグループＰＤＧは扇形に配列される。一方、第１仮想線ＩＬ１は、各パッドグループに含まれた代表パッドの上端部の中心を連結する線である。また、第２仮想線ＩＬ２は、各パッドグループに含まれた代表パッドの下端部の中心を連結する線である。ここで、各パッドグループの代表パッドは、各パッドグループに含まれたパッドのうち中央に配置されたパッドである。しかし、実施例はこれに限らず、代表パッドは各パッドグループに含まれた任意のパッドを選択してもよい。
【００７９】
図２及び図３を参照すると、第１仮想線ＩＬ１は曲線で、第２仮想線ＩＬ２は直線である。詳しくは、第１仮想線ＩＬ１は表示領域ＤＡ方向に膨らんだ曲線状であり、第２仮想線ＩＬ２は表示基板ＰＳのエッジＥＤと並んだ直線状である。
【００８０】
一実施例の表示パネルＤＰにおいて、複数のパッドグループＰＤＧは扇形を有するように配列され、パッド領域ＰＡの中心部から外郭部に行くほどパッドグループＰＤＧに含まれたパッドＰＤの勾配を増加させ、パッドのピッチを減少させることでパッド領域ＰＡを最小化し、連結配線ＣＬの延長を最小化することで、デッドスペースを減少できる。
【００８１】
図１２は、図２に示した一実施例の表示パネルＤＰの一部分を拡大して示している。図１２は、図２のＡＡ領域を示す平面図である。一実施例の表示パネルＤＰは、表示基板ＰＳ、複数のパッドグループＰＤＧ、及び連結配線ＣＬを含む。
【００８２】
連結配線ＣＬは、表示領域ＤＡとパッド領域ＰＡとの間に配置される。連結配線ＣＬは、表示領域ＤＡに配置された画素（図示せず）とパッドＰＤを電気的に連結する。
【００８３】
連結配線ＣＬは、第１パッドグループＧ１の第１パッドＰＤ１と連結された第１連結配線ＣＬ１、及び第２パッドグループの内の第１サブパッドグループＧ２−Ｒ、第２サブパッドグループＧ２−Ｌの第２パッドＰＤ２と連結された第２連結配線ＣＬ２を含む。
【００８４】
第１連結配線ＣＬ１は、表示領域ＤＡからパッド領域ＰＡの方向に延長された第１サブ配線部ＳＬ１、及び第１サブ配線部ＳＬ１から延長されて第１パッドＰＤ１と連結された第２サブ配線部ＳＬ２を含む。また、第２連結配線ＣＬ２は、表示領域ＤＡからパッド領域ＰＡの方向に延長された第３サブ配線部ＳＬ３、及び第３サブ配線部ＳＬ３から延長されて第２パッドＰＤ２と連結された第４サブ配線部ＳＬ４を含む。一方、第１サブ配線部ＳＬ１及び第３サブ配線部ＳＬ３は表示領域ＤＡにおいてパッド領域ＰＡの方向に延長され、第２方向軸ＤＲ２と平行な直線部分である。つまり、第１サブ配線部ＳＬ１及び第３サブ配線部ＳＬ３は、基準線ＲＬと平行に延長される部分である。一実施例において、第２サブ配線部ＳＬ２は第１サブ配線部ＳＬ１から延長された直線部分である。第２サブ配線部ＳＬ２の延長方向は、第１パッドグループに含まれた第１パッドＰＤ１の延長方向と並んでいる。例えば、第２サブ配線部ＳＬ２は、第１サブ配線部ＳＬ１のように第２方向軸ＤＲ２と平行な方向に延長されてもよい。また、第４サブ配線部ＳＬ４は、第３サブ配線部ＳＬ３から斜線方向に延長される部分である。例えば、第２サブ配線部ＳＬ２と第４サブ配線部ＳＬ４は、蜘蛛の巣のような（ｓｐｉｄｅｒ）配線部であってもよい。
【００８５】
第４サブ配線部ＳＬ４の延長方向は、第１サブパッドグループＧ２−Ｒｎまたは第２サブパッドグループＧ２−Ｌｎに含まれた第２パッドＰＤの延長方向ＥＬ−ＰＤ２と平行である。例えば、図１２を参照すると、基準線ＲＬと第４サブ配線部ＳＬ４の延長方向ＥＬ−ＣＬ２がなす角θｃは、基準線ＲＬに対する第２パッドＰＤの延長方向ＥＬ−ＰＤ２がなす角θｐと同じである。
【００８６】
つまり、一実施例の表示パネルＰＤの場合、第２サブ配線部ＳＬ２とこれに連結された第１パッドグループＧ１の第１パッドＰＤ１の延長方向を同じくし、第４サブ配線部ＳＬ４とこれに連結された第２パッドグループＧ２−Ｒ、Ｇ２−Ｌの第２パッドＰＤ２の延長方向を同じくして、蜘蛛の巣のような配線部に当たる第２サブ配線部ＳＬ２と第４サブ配線部ＳＬ４の長さを最小化することで、表示基板ＰＳのデッドスペースを減少できる。
【００８７】
図１３は、表示パネルの一実施例を示す平面図である。図１４は、図１３のパッド領域部分をより詳細に示す平面図である。図１３及び図１４に関する説明において、上述した図１乃至図１２で説明した表示パネルに関する説明部分と重複するものは更に説明せず、差を中心に説明する。図１３及び図１４に示した実施例の表示パネルＤＰ−１に関する説明において、パッド領域ＰＡ−１、パッドグループＰＤＧ、及び連結配線ＣＬに関する部分を除いては、上述した図１乃至図１２で説明した内容が同じく適用される。
【００８８】
図１３に示した一実施例の表示パネルＤＰ−１は、表示基板ＰＳ、複数のパッドグループＰＤＧ、及び複数の連結配線ＣＬを含む。表示パネルＤＰ−１の表示基板ＰＳは、表示領域ＤＡと表示領域ＤＡの少なくとも一側に配置されたパッド領域ＰＡ−１を含む。
【００８９】
複数のパッドグループＰＤＧは、パッド領域ＰＡ−１の中心部に配置された第１パッドグループＧ１と、第１パッドグループＧ１の少なくとも一側に配置された第２パッドグループを含む。第２パッドグループは、第１パッドグループＧ１の一側に配置された第１サブパッドグループＧ２−Ｒと、第１パッドグループＧ１の他側に配置された第２サブパッドグループＧ２−Ｌを含む。
【００９０】
図１３及び図１４を参照すると、一実施例において、表示領域ＤＡに隣接したパッドＰＤ１、ＰＤ２の一側端部を連結する第１仮想線ＩＬ１と、表示基板ＰＳのエッジに隣接したパッドＰＤ１、ＰＤ２の他側端部を連結する第２仮想線ＩＬ２のうちいずれか一つは曲線である。つまり、一実施例において、複数のパッドグループＰＤＧは扇形に配列される。一方、第１仮想線ＩＬ１は、各パッドグループに含まれた代表パッドの上端部の中心を連結する線である。また、第２仮想線ＩＬ２は、各パッドグループに含まれた代表パッドの下端部の中心を連結する線である。ここで、各パッドグループの代表パッドは、各パッドグループに含まれたパッドのうち中央に配置されたパッドである。しかし、実施例はこれに限らず、代表パッドは各パッドグループに含まれた任意のパッドを選択してもよい。
【００９１】
図１３及び図１４を参照すると、第１仮想線ＩＬ１は直線で、第２仮想線ＩＬ２は曲線である。詳しくは、第１仮想線ＩＬ１は表示基板ＰＳのエッジＥＤと平行な直線状であり、第２仮想線ＩＬ２は表示基板ＰＳのエッジＥＤの方向に膨らんだ曲線状である。
【００９２】
複数のパッドグループＰＤＧは、パッド領域ＰＡ−１の中心部に配置された第１パッドグループＧ１と、第１パッドグループＧ１の少なくとも一側に配置された第１サブパッドグループＧ２−Ｒ、第２サブパッドグループＧ２−Ｌを含む。第１サブパッドグループＧ２−Ｒ、第２サブパッドグループＧ２−Ｌに含まれた第２パッドＰＤ２の勾配は、第１パッドグループＧ１に含まれた第１パッドＰＤ１の勾配より大きい。また、第２パッドＰＤ２間の離隔間隔は、第１パッドＰＤ１間の離隔間隔より小さい。
【００９３】
一実施例の表示パネルＤＰ−１は、パッド領域ＰＡ−１の中心部に配置された第１パッドグループＧ１、第１パッドグループＧ１の右側に配置されたｘ個の第１サブパッドグループＧ２−Ｒ、及び第１パッドグループＧ１の左側に配置された第２サブパッドグループＧ２−Ｌを含む。一方、ｘは１以上の整数であり、第１サブパッドグループＧ２−Ｒの個数と第２サブパッドグループＧ２−Ｌの個数は同じであるか互いに異なってもよい。
【００９４】
複数の第１サブパッドグループＧ２−Ｒは、パッド領域ＰＡ−１の中心部から外郭方向に並んで配列される。互いに異なる第１サブパッドグループＧ２−Ｒに含まれた第２パッドＰＤ２の勾配は互いに異なる。
【００９５】
パッド領域ＰＡ−１の中心部から外郭部に行くほど、第１サブパッドグループＧ２−Ｒに含まれた第２パッドＰＤ２の勾配が増加する。また、パッド領域ＰＡ−１の中心部から外郭部に行くほど、第２サブパッドグループＧ２−Ｌに含まれた第２パッドＰＤ２の勾配が増加する。
【００９６】
つまり、一実施例の表示パネルＤＰ−１において、複数のパッドグループＰＤＧは扇形を有するように配列され、中心部から外郭部に行くほどパッドグループＰＤＧに含まれたパッドの勾配を増加させ、パッドのピッチを減少させてパッド領域ＰＡ−１を最小化することで、デッドスペースを減少する。
【００９７】
図１３を参照すると、一実施例の表示パネルＤＰ−１は、第１パッドグループＧ１と連結された第１連結配線ＣＬ１、及び第１サブパッドグループＧ２−Ｒ、第２サブパッドグループＧ２−Ｌと連結された第２連結配線ＣＬ２を含む。第２連結配線ＣＬ２は、表示領域ＤＡからパッド領域ＰＡ−１の方向に延長された第３サブ配線部ＳＬ３、及び第３サブ配線部ＳＬ３から延長されて第２パッドＰＤ２と連結された第４サブ配線部ＳＬ４を含む。一方、一実施例の表示パネルＤＰ−１において、第４サブ配線部ＳＬ４は少なくとも一つの屈曲部分ＣＰを含む。第４サブ配線部ＳＬ４は、第２パッドＰＤ２と連結された下部サブ配線部ＳＬ４−１、及び第３サブ配線部ＳＬ３と下部サブ配線部ＳＬ４−１との間に配置された上部サブ配線部ＳＬ４−２を含む。一実施例において、下部サブ配線部ＳＬ４−１の延長方向は、第１サブパッドグループＧ２−Ｒｎまたは第２サブパッドグループＧ２−Ｌｎに含まれた第２パッドＰＤ２の延長方向と平行である。
【００９８】
図１５は、表示パネル一実施例を示す平面図である。図１６は、図１５のパッド領域部分をより詳細に示す平面図である。図１５及び図１６に関する説明において、上述した図１乃至図１２で説明した表示パネルに関する説明部分と重複するものは更に説明せず、差を中心に説明する。図１５及び図１６に示した実施例の表示パネルＤＰ−２に関する説明において、パッド領域ＰＡ−２、パッドグループＰＤＧ、及び連結配線ＣＬに関する部分を除いては、上述した図１乃至図１２で説明した内容が同じく適用される。
【００９９】
一実施例の表示パネルＤＰ−２は、表示基板ＰＳ、複数のパッドグループＰＤＧ、及び連結配線ＣＬを含む。表示基板ＰＳは、表示領域ＤＡ、非表示領域ＮＤＡ、及びパッド領域ＰＡ−２を含み、パッド領域ＰＡ−２は表示領域ＤＡの少なくとも一側に配置される。
【０１００】
一実施例の表示パネルＤＰ−２において、第１パッドＰＤ１と第２パッドＰＤ２は、平面上で四角形状を有する。つまり、第１パッドグループＧ１に含まれた第１パッドＰＤ１と第２パッドグループに含まれた第２パッドＰＤ２は、第１方向軸ＤＲ１及び第２方向軸ＤＲ２が定義する平面上において四角形状を有する。
【０１０１】
第１パッドグループＧ１の第１パッドＰＤ１は、第１長さＬ１と第１幅Ｗ１を有する四角形状であり、第２パッドグループの第２パッドＰＤ２は、第１長さＬ１とは異なる第２長さＬ２と第１幅Ｗ１とは異なる第２幅Ｗ２を有する四角形状である。
【０１０２】
一方、一実施例において、複数のパッドグループＰＤＧは、パッド領域ＰＡ−２の中心部に配置された第１パッドグループＧ１と、第１パッドグループＧ１の少なくとも一側に配置された第２パッドグループを含む。第２パッドグループの第２パッドＰＤ２の勾配は、第１パッドグループＧ１の第１パッドＰＤ１の勾配より大きい。また、第２パッドＰＤ２間の離隔間隔は、第１パッドＰＤ１間の離隔間隔より小さい。
【０１０３】
第２パッドグループの内の複数個の第１サブパッドグループＧ２−Ｒは、パッド領域ＰＡ−２の中心部から外郭方向に並んで配列される。互いに異なる第１サブパッドグループＧ２−Ｒに含まれた第２パッドＰＤ２の勾配と離隔間隔は互いに異なる。また、互いに異なる第１サブパッドグループＧ２−Ｒに含まれた第２パッドＰＤ２の長さと幅は互いに異なる。なお、同じ第１サブパッドグループＧ２−Ｒに含まれた第２パッドＰＤ２の長さと幅は同じである。
【０１０４】
パッド領域ＰＡ−２の中心部から外郭部に行くほど、互いに異なる第１サブパッドグループＧ２−Ｒに含まれた第２パッドＰＤ２の勾配は増加し、互いに異なる第１サブパッドグループＧ２−Ｒに含まれた第２パッドＰＤ２の離隔間隔は減少する。また、パッド領域ＰＡ−２の中心部から外郭部に行くほど、互いに異なる第１サブパッドグループＧ２−Ｒに含まれた第２パッドＰＤ２の長さは増加し、互いに異なる第１サブパッドグループＧ２−Ｒに含まれた第２パッドＰＤ２の幅は減少する。
【０１０５】
第２パッドグループの内の複数の第２サブパッドグループＧ２−Ｌは、パッド領域ＰＡ−２の中心部から外郭方向に並んで配列される。互いに異なる第２サブパッドグループＧ２−Ｌに含まれた第２パッドＰＤ２の勾配と離隔間隔は互いに異なる。また、互いに異なる第２サブパッドグループＧ２−Ｌに含まれた第２パッドＰＤ２の長さと幅は互いに異なる。なお、同じ第２サブパッドグループＧ２−Ｌに含まれた第２パッドＰＤ２の長さと幅は同じである。
【０１０６】
パッド領域ＰＡ−２の中心部から外郭部に行くほど、互いに異なる第２サブパッドグループＧ２−Ｌに含まれた第２パッドＰＤ２の勾配は増加し、互いに異なる第２サブパッドグループＧ２−Ｌに含まれた第２パッドＰＤ２の離隔間隔は減少する。また、パッド領域ＰＡ−２の中心部から外郭部に行くほど、互いに異なる第２サブパッドグループＧ２−Ｌに含まれた第２パッドＰＤ２の長さは増加し、互いに異なる第２サブパッドグループＧ２−Ｌに含まれた第２パッドＰＤ２の幅は減少する。
【０１０７】
第１パッドグループＧ１に含まれた第１パッドＰＤ１と、第１サブパッドグループＧ２−Ｒ、第２サブパッドグループＧ２−Ｌに含まれた第２パッドＰＤ２の面積は同じである。つまり、第１パッドＤＰ１と第２パッドＰＤ２は長さと幅が互いに異なり、面積は同じである。
【０１０８】
図１５及び図１６に示した一実施例の表示パネルＤＰ−２おいて、表示領域ＤＡに隣接したパッドＰＤ１、ＰＤ２の一側端部を連結する第１仮想線ＩＬ１と、表示基板ＰＳのエッジＥＤに隣接したパッドＰＤ１、ＰＤ２の他側端部を連結する第２仮想線ＩＬ２は互いに平行する。つまり、第１仮想線ＩＬ１及び第２仮想線ＩＬ２は、表示基板ＰＳのエッジＥＤと並んでいる。
【０１０９】
第１仮想線ＩＬ１は平面上で第１パッドＰＤ１と第２パッドＰＤ２の最上端部を連結したものであり、第２仮想線ＩＬ２は平面上で第１パッドＰＤ１と第２パッドＰＤ２の最下端部を連結したものである。一方、図１６を参照すると、第１仮想線ＩＬ１と第２仮想線ＩＬ２との間隔ｄは、パッドＰＤ１、ＰＤ２の垂直距離を示す。つまり、図１５及び図１６に示した一実施例において、複数のパッドグループＰＤＧに含まれたパッドＰＤ１、ＰＤ２の垂直距離は全て同じである。
【０１１０】
図１７及び図１８は、それぞれ一実施例の表示パネルＤＰ−２におけるパッドグループによるパッドの長さとパッドの幅を示すグラフである。図１７は、図１５及び図１６に示した一実施例の表示パネルＤＰ−２において、第１パッドグループＧ１及び第１サブパッドグループＧ２−Ｒ、第２サブパッドグループＧ２−Ｌにおけるパッドグループ別のパッドの長さを示すグラフであり、図１８は、図１５及び図１６に示した一実施例の表示パネルＤＰ−２において、第１パッドグループＧ１及び第１サブパッドグループＧ２−Ｒ、第２サブパッドグループＧ２−Ｌにおけるパッドグループ別のパッドの幅を示すグラフである。
【０１１１】
図１７を参照すると、一実施例の表示パネルＤＰ−２において、第１パッドグループＧ１に含まれたパッドの長さが最も小さく、第１パッドグループＧ１の一側に配置された第１サブパッドグループＧ２−Ｒに含まれたパッドの長さは第１パッドグループＧ１から離隔されるほど増加する。また、第１パッドグループＧ１の他側に配置された第２サブパッドグループＧ２−Ｌに含まれたパッドの長さは、第１パッドグループＧ１から離隔されるほど増加する。第１パッドグループＧ１を基準に互いに対称の位置に配列された第１サブパッドグループＧ２−Ｒと第２サブパッドグループＧ２−Ｌに含まれたパッドの長さは同じである。
【０１１２】
図１８を参照すると、一実施例の表示パネルＤＰ−２において、パッド領域ＰＡ−２に配置された複数のパッドのうち第１パッドグループＧ１に含まれたパッドの幅が最も大きく、第１パッドグループＧ１の一側に配置された第１サブパッドグループＧ２−Ｒに含まれたパッドの幅は第１パッドグループＧ１から離隔されるほど減少する。また、第１パッドグループＧ１の他側に配置された第２サブパッドグループＧ２−Ｌに含まれたパッドの幅は、第１パッドグループＧ１から離隔されるほど減少する。第１パッドグループＧ１を基準に互いに対称の位置に配列された第１サブパッドグループＧ２−Ｒと第２サブパッドグループＧ２−Ｌに含まれたパッドの幅は同じである。
【０１１３】
つまり、図１５乃至図１８を参照すると、一実施例の表示パネルＤＰ−２は、第１方向ＤＲ１に配列された複数のパッドグループＰＤＧを含み、互いに異なるパッドグループに含まれたパッドの長さと幅は互いに異なる。一方、一つのパッドグループに含まれた複数のパッドの長さと幅は同じである。つまり、一実施例の表示パネルＤＰ−２は、パッドグループ別に互いに異なる長さと異なる幅を有するパッドを含み、パッドの面積を同じくすることで、後述する接続部材ＡＦ（図１９）と接着する面積を確保し、パッド間の抵抗値を類似にすることで、良好な信頼性及び電気的特性を示すことができる。
【０１１４】
また、一実施例の表示パネルＤＰ−２において、互いに異なるグループに含まれたパッドの勾配と離隔期間は互いに異なる。一方、一つのパッドグループに含まれた複数のパッドの勾配と離隔間隔は同じである。つまり、パッドグループ別に互いに異なる勾配値と異なる離隔間隔を有することで、パッド領域ＰＡ−２におけるデッドスペースを最小化しながらも、複数のパッドグループＰＤＧを配列できる。
【０１１５】
一実施例は、上述した一実施例の表示パネルを含む表示装置を提供する。図１９は、一実施例の表示装置の分解斜視図である。図１９に示した一実施例の表示装置の分解斜視図は、図１に示した一実施例の表示装置に関する。図１９を参照すると、一実施例の表示装置ＤＤは、表示パネルＤＰ、及び連結回路基板ＦＢを含む。
【０１１６】
表示パネルＤＰは、表示領域ＤＡ及びパッド領域ＰＡを含む。表示領域ＤＡは映像が表示される部分で、複数の画素（図示せず）を含む部分である。パッド領域ＰＡは、表示領域ＤＡの少なくとも一側に配置される。図１乃至図１９などにおいては、パッド領域ＰＡが表示領域ＤＡの一側にのみ配置されると示しているが、実施例はこれに限らず、パッド領域ＰＡは表示領域ＤＡの外郭に追加的に配置されてもよい。
【０１１７】
表示パネルＤＰは、複数のパッドグループＰＤＧを含む。パッドグループＰＤＧはパッド領域ＰＡに配置され、第１方向ＤＲ１に沿って配列される。パッドグループＰＤＧは、基準線ＲＬに対して第１勾配を有し、第１間隔で離隔された複数の第１パッドＰＤ１を含む第１パッドグループＧ１、及び基準線ＲＬに対して第２勾配を有し、第２間隔で離隔された複数の第２パッドＰＤ２を含む第１サブパッドグループＧ２−Ｒ、第２サブパッドグループＧ２−Ｌを含む。
【０１１８】
一実施例に含まれた表示パネルＤＰ及び表示パネルＤＰに含まれたパッドグループＰＧＤに関しては、上述した図１乃至図１８で説明した内容と同じ内容が適用される。つまり、一実施例の表示装置ＤＤは、上述した一実施例の表示パネルＤＰ、ＤＰ−１、ＤＰ−２を含む。
【０１１９】
一実施例の表示装置ＤＤは連結回路基板ＦＢを含み、連結回路基板ＦＢは複数の連結パッドグループＣＰＧを含む。連結回路基板ＦＢは、軟性基板ＢＦと、軟性基板ＢＦの上に配置された複数の連結パッドグループＣＰＧを含む。
【０１２０】
軟性基板ＢＦはフレキシブルな物質、例えば、ポリイミドから形成される。軟性基板ＢＦはフィルム状で提供される。軟性基板ＦＢの上に配置された連結パッドグループＣＰＧに含まれた連結パッドＣＤ１、ＣＤ２は、出力パッドまたは入力パッドである。
【０１２１】
連結パッドグループＣＰＧは、表示パネルＤＰの第１パッドグループＧ１に対応して配置された第１連結パッドグループＣＰＧ１、及び表示パネルＤＰの第１サブパッドグループＧ２−Ｒ、第２サブパッドグループＧ２−Ｌに対応して配置された第１サブ連結パッドグループＣＰＧ−Ｒ、第２サブ連結パッドグループＣＰＧ−Ｌを含む。
【０１２２】
連結パッドグループＣＰＧは、第１方向ＤＲ１に沿って配列される。連結パッドグループＣＰＧは、パッドグループＰＤＧに対応して配置される。連結パッドグループＣＰＧは、第２方向ＤＲ２と平行な仮想の基準線ＲＬに対して第１勾配を有し、第１間隔で離隔された複数の第１連結パッドＣＤ１を含む第１連結パッドグループＣＰＧ１、及び基準線ＲＬに対して第２勾配を有し、第２間隔で離隔された複数の第２連結パッドＣＤ２を含む第１サブ連結パッドグループＣＰＧ−Ｒ、第２サブ連結パッドグループＣＰＧ−Ｌを含む。連結パッドＣＤ１、ＣＤ２の勾配は、基準線ＲＬの延長方向と第１または第２連結パッドＣＤ１、ＣＤ２の延長方向がなす角を示す。本明細書において、勾配値は正の値であり、鋭角を示す。第１連結パッドＣＤ１は対応する第１パッドＰＤ１に対向し、第２連結パッドＣＤ２は対応する第２パッドＰＤ２に対向する。
【０１２３】
一実施例において、複数連結のパッドグループＣＰＧは、軟性基板ＢＦの中心部に配置された第１連結パッドグループＣＰＧ１と、第１連結パッドグループＣＰＧ１の少なくとも一側に配置された第２連結パッドグループを含む。第２連結パッドグループに含まれた第２連結パッドＣＤ２の勾配は、第１連結パッドグループＣＰＧ１の第１連結パッドＣＤ１の勾配より大きい。また、第２連結パッドＣＤ２間の離隔間隔は、第１連結パッドＣＤ１間の離隔間隔より小さい。
【０１２４】
第２連結パッドグループは、第１連結パッドグループＣＰＧ１の一側に配置された複数の第１サブ連結パッドグループＣＰＧ−Ｒと、前記第１連結パッドグループＣＰＧ１の他側に配置された第２サブ連結パッドグループＣＰＧ−Ｌを含む。例えば、一実施例の表示パネルＤＰにおいて、第１サブ連結パッドグループＣＰＧ−Ｒは第１サブパッドグループＧ２−Ｒと対応するように配置され、第２サブ連結パッドグループＣＰＧ−Ｌは第２サブパッドグループＧ２−Ｌと対応するように配置される。
【０１２５】
互いに異なる第１サブ連結パッドグループＣＰＧ−Ｒに含まれた第２パッドＣＤ２の勾配は互いに異なる。軟性基板ＢＦの中心部から外郭部に行くほど、第１サブ連結パッドグループＣＰＧ−Ｒに含まれた第２連結パッドＤＣ２の勾配が増加する。第２連結パッドＣＤ２は、第２パッドＰＤ２に対応するように配置される。
【０１２６】
また、互いに異なる第２サブ連結パッドグループＣＰＧ−Ｌに含まれた第２パッドＣＤ２の勾配は互いに異なる。軟性基板ＢＦの中心部から外郭部に行くほど、第２サブ連結パッドグループＣＰＧ−Ｌに含まれた第２連結パッドＤＣ２の勾配が増加する。第２連結パッドＣＤ２は、第２パッドＰＤ２に対応するように配置される。
【０１２７】
一実施例の表示装置ＤＤは、表示パネルＤＰと連結回路基板ＦＢとの間に配置される接続部材ＡＦを含む。接続部材ＡＦは、表示パネルＤＰのパッドＰＤ１、ＰＤ２と連結回路基板ＦＢの連結パッドＣＤ１、ＣＤ２を電気的に連結する。接続部材ＡＦは電気伝導性を有し、粘着性を有する。接続部材ＡＦは、熱硬化性または光硬化性物質を含む。例えば、接続部材ＡＦは異方性導電フィルム（Ａｎｉｓｏｔｒｏｐｉｃ  Ｃｏｎｄｕｃｔｉｖｅ  Ｆｉｌｍ：ＡＣＦ）を含む。
【０１２８】
一実施例の表示装置は、複数のパッドグループを含み、パッド領域の中心部から外郭部に行くほど互いに異なるパッドグループに含まれたパッドの勾配は増加し、互いに異なるパッドグループに含まれたパッドの離隔間隔は減少するように複数のパッドを配置して、パッド領域の面積を減らし、表示領域の外郭に配置されたデッドスペースを最小化することで、多様なデザインの表示装置を具現できる。
【０１２９】
一実施例の表示パネル及び表示装置は、パッド領域に複数のパッドグループを含み、互いに異なるパッドグループに含まれたパッドの勾配とピッチを変化させることでパッドの配列を最適化し、同じ個数のパッドを含むがパッドの勾配とピッチを変化させていない場合に比べ、相対的にパッド領域の長さ及びデッドスペースを減少できる。また、一実施例の表示パネル及び表示装置は、接続部材と十分な接触面積を維持するようにパッドの勾配とピッチを最適化することで、パッド領域の長さを減少させてデッドスペースを減らしながらも、良好な信頼性を示すことができる。
【０１３０】
これまで本発明の好ましい実施例を参照して説明したが、該当技術分野における熟練した当業者または該当技術分野における通常の知識を有する者であれば、後述する特許請求の範囲に記載された本発明の思想及び技術領域から逸脱しない範囲内で本発明を多様に修正及び変更し得ることを理解できるはずである。
【０１３１】
よって、本発明の技術的範囲は明細書の詳細な説明に記載されている内容に限らず、特許請求の範囲によって決められるべきである。
【符号の説明】
【０１３２】
ＡＦ  接続部材
ＢＳ１  第１基板
ＢＳ２  第２基板
ＣＤ１、ＣＤ２  連結パッド
ＣＬ  連結配線
ＣＬ１  第１連結配線
ＣＬ２  第２連結配線
ＣＰ  屈曲部分
ＣＰＧ１  第１連結パッドグループ
ＣＰＧ−Ｌ  第２サブ連結パッドグループ
ＣＰＧ−Ｒ  第１サブ連結パッドグループ
ＤＡ  表示領域
ＤＤ  表示装置
ＤＰ、ＤＰ−１、ＤＰ−２  表示パネル
ＥＤ  エッジ
ＥＬ−ＣＬ２、ＥＬ−ＰＤ１、ＥＬ−ＰＤ２  延長方向
ＦＢ  連結回路基板
Ｇ１  第１パッドグループ
Ｇ２−Ｒ  第１サブパッドグループ
Ｇ２−Ｌ  第２サブパッドグループ
Ｇ２−Ｒ  第１サブパッドグループ
ＩＬ１  第１仮想線
ＩＬ２  第２仮想線
ＮＤＡ  非表示領域
ＰＡ  パッド領域
ＰＡ−１、ＰＡ−２  パッド領域
ＰＤ  パッド
ＰＤ１  第１パッド
ＰＤ２  第２パッド
ＰＤＧ  パッドグループ
ＰＳ  表示基板
ＲＬ  基準線
ＲＬ−Ｂ  下部基準線
ＲＬ−Ｔ  上部基準線
ＳＬ１  第１サブ配線部
ＳＬ２  第２サブ配線部
ＳＬ３  第３サブ配線部
ＳＬ４  第４サブ配線部
ＳＬ４−１  下部サブ配線部
ＳＬ４−２  上部サブ配線部
【図１】
2019200416.tif 000003
【図２】
2019200416.tif 000004
【図３】
2019200416.tif 000005
【図４】
2019200416.tif 000006
【図５】
2019200416.tif 000007
【図６】
2019200416.tif 000008
【図７】
2019200416.tif 000009
【図８】
2019200416.tif 000010
【図９】
2019200416.tif 000011
【図１０】
2019200416.tif 000012
【図１１】
2019200416.tif 000013
【図１２】
2019200416.tif 000014
【図１３】
2019200416.tif 000015
【図１４】
2019200416.tif 000016
【図１５】
2019200416.tif 000017
【図１６】
2019200416.tif 000018
【図１７】
2019200416.tif 000019
【図１８】
2019200416.tif 000020
【図１９】
2019200416.tif 000021